(57)【要約】【課題】書き換え可能なＤＶＤディスクにビデオモードで記録した複数タイトルの途中部分を消去した際にも追記可能領域を拡大可能とする。【解決手段】ＤＶＤディスク１に記録された途中のタイトルの消去を入力装置７から指示した場合、記録位置変更部６ａは消去タイトルに後続する物理的な位置にあるタイトルの記録位置を、消去タイトルに先立つ物理的な位置にあるタイトルに連続するように、消去タイトル領域の先頭位置にまで移動させて書き換え、ＤＶＤディスク１の外周側に追記可能領域を拡大する。また、記録位置の変更処理に要する所要時間を所要時間算出部６ａ１にて算出して、表示装置８に表示し、ユーザがタイマ設定部６ｃにより記録位置変更部６ａの開始時刻を予めタイマ９に設定したり、記録位置の変更処理が録画予約時間帯と重ならないようにタイマ自動設定部６ｃ１により記録位置変更部６ａの開始時刻を自動的に探索してタイマ９に設定可能である。【選択図】        図２
2004220646.tif 000002
【特許請求の範囲】
【請求項１】
書き換え可能なＤＶＤディスクに、ＤＶＤ−ＶＩＤＥＯ規格との互換性を有する記録方式であるビデオモードにより記録されているデータの途中部分にあるタイトルを消去タイトルとして消去した場合、該ＤＶＤディスクに記録されているタイトルに関する物理的な記録位置を変更して前記ビデオモードにより該ＤＶＤディスクに記録し直すことにより、該ＤＶＤディスク内の追記可能時間を増加させることができる記録位置変更処理を実行する記録位置変更手段を備えていることを特徴とするＤＶＤ録画装置。
【請求項２】
請求項１に記載のＤＶＤ録画装置において、前記記録位置変更手段による前記記録位置変更処理が、記録されているデータの途中部分にあるタイトルを消去タイトルとして消去した場合、該消去タイトルに後続する物理的な位置に配置されている後続タイトルのデータの記録位置を、前記消去タイトルに先立つ物理的な位置に記録されているタイトルのデータの最後に連続させて記録し直すように、前記消去タイトルの記録領域の先頭位置にまで移動させて、前記後続タイトルのデータを書き換えデータとして書き換えることにより、前記ＤＶＤディスクの外周側に追記可能な追記可能領域を拡大させて、該ＤＶＤディスクの追記可能時間を増加させることを特徴とするＤＶＤ録画装置。
【請求項３】
請求項１又は２に記載のＤＶＤ録画装置において、前記記録位置変更手段による前記記録位置変更処理に必要とされる所要時間を算出する所要時間算出手段を備えていることを特徴とするＤＶＤ録画装置。
【請求項４】
請求項３に記載のＤＶＤ録画装置において、前記所要時間算出手段が、前記消去タイトルの消去データ量、前記後続タイトルの前記書き換えデータのデータ量、当該ＤＶＤ録画装置に備えられていて、書き換え処理を行なうために前記後続タイトルの前記書き換えデータを記憶する記憶手段の記憶可能容量、前記後続タイトルの前記書き換えデータを前記ＤＶＤディスクから前記記憶手段に読み出して記憶する読出し速度、前記記録手段に記憶された前記後続タイトルの前記書き換えデータを前記ＤＶＤディスクに記録し直す書込み速度、及び、当該ＤＶＤ録画装置に備えられたピックアップヘッドのアクセス速度と、に基づいて、前記記録位置変更処理に必要とされる前記所要時間を算出することを特徴とするＤＶＤ記録装置。
【請求項５】
請求項３又は４に記載のＤＶＤ録画装置において、前記所要時間算出手段により算出された前記所要時間を表示する所要時間表示手段を備えていることを特徴とするＤＶＤ録画装置。
【請求項６】
請求項１乃至５のいずれかに記載のＤＶＤ録画装置において、前記記録位置変更処理を実行する前記記録位置変更手段が起動される開始時刻を、ユーザが予めタイマに設定登録することができるタイマ設定手段を備えていることを特徴とするＤＶＤ録画装置。
【請求項７】
請求項１乃至６のいずれかに記載のＤＶＤ録画装置において、前記記録位置変更手段の前記記録位置変更処理に必要とされる所要時間とタイマ録画予約された録画予約時間帯とを照合し、該録画予約時間帯と重ならない時間帯に前記記録位置変更手段による前記記録位置変更処理が実行されるように、前記記録位置変更手段が起動される開始時刻を、自動的に探索してタイマに設定登録することができるタイマ自動設定手段を備えていることを特徴とするＤＶＤ録画装置。
【請求項８】
請求項１乃至７のいずれかに記載のＤＶＤ録画装置において、前記ＤＶＤディスクが、ＤＶＤ−ＲＷ（ＤＶＤ−Ｒｅｗｒｉｔａｂｌｅ）ディスク又はＤＶＤ＋ＲＷ（ＤＶＤ＋Ｒｅｗｒｉｔａｂｌｅ）ディスクであることを特徴とするＤＶＤ録画装置。
【発明の詳細な説明】
【０００１】
【発明の属する技術分野】
本発明は、ＤＶＤ録画装置に関し、特に、ビデオモード（即ち、ＤＶＤ−ＶＩＤＥＯ規格との互換性を有する記録方式）により書き換え可能なＤＶＤディスクに記録するＤＶＤ録画装置に関する。
【０００２】
【従来の技術】
従来の技術においては、ビデオモードで書き換え可能なＤＶＤディスクに記録した後に、不要となったタイトルに関するデータを消去したとしても、消去した当該タイトルのデータを管理するファイル管理情報に関しては、消去した当該タイトルの再生を行なわない状態へと書き換えがなされるものの、ＤＶＤディスク上の各タイトルの物理的なデータの配置は変更されず、消去対象とされた当該タイトルのデータもそのまま残ったままである。従って、当該ＤＶＤディスクは、ビデオモードにより新たなタイトルを追記することができる追記可能領域を拡大することはできず、追記可能時間を増加させることはできない（特許文献１、非特許文献１参照）。例外的に、ＤＶＤディスクの最外周に記録されているタイトル（即ち、最後に記録されたタイトル）を消去した場合にのみ、追記可能時間を増加させることができるものとされている（非特許文献１参照）。
【０００３】
【特許文献１】
特開平１１−５３８４０号公報
【非特許文献１】
シャープ（社）製ＤＶＤレコーダ「ＤＶ−ＳＲ１００」取扱説明書
例えば、「編集」の「タイトル単位で消去する」項目
【０００４】
【発明が解決しようとする課題】
ビデオモードにより記録されたＤＶＤディスクの場合、ＤＶＤプレーヤでも再生可能な互換性を確保するために、連続的に再生される記録データがＤＶＤディスクの物理的な位置に隣接して配置されていなければならない。
而して、ＤＶＤプレーヤでも再生可能な互換性を確保するためにＤＶＤディスク上に連続して記録されていたデータの途中部分のタイトルを消去しても、前述したように、消去したデータ部分に新たなタイトルを追記することは不可能であり、追記可能な追記可能領域を拡大することができなかった。
【０００５】
本発明は、かかる課題に鑑みてなされたものであり、物理的に連続記録を必要とするビデオモードで記録されたＤＶＤディスクの途中の記録タイトルを消去した場合でも、消去した該記録タイトルに後続する物理的な位置に記録されている各記録タイトルを、消去した該記録タイトルの領域に詰めるように記録位置を変更して書き換える記録位置変更処理を行なうことにより、ＤＶＤディスクの外周側に追記可能な領域を拡大して確保することを可能とし、もって、追記可能な時間を増加させるＤＶＤ録画装置を提供せんとするものである。また、前記記録位置変更処理に必要とする所要時間を自動的に算出してユーザに表示することを可能とすると共に、ユーザが予めタイマに設定登録した開始時刻により記録位置を変更して書き換える処理を開始させることを可能とし、更に、予めタイマ録画予約されている録画予約時間帯と重複しない時間帯において、前記記録位置変更処理が実行されるように、前記記録位置変更処理を起動する開始時刻を自動的に探索してタイマに設定登録することを可能にせんとするものである。
【０００６】
【課題を解決するための手段】
【０００７】
第１の技術手段は、書き換え可能なＤＶＤディスクに、ＤＶＤ−ＶＩＤＥＯ規格との互換性を有する記録方式であるビデオモードにより記録されているデータの途中部分にあるタイトルを消去タイトルとして消去した場合、該ＤＶＤディスクに記録されているタイトルに関する物理的な記録位置を変更して前記ビデオモードにより該ＤＶＤディスクに記録し直すことにより、該ＤＶＤディスク内の追記可能時間を増加させることができる記録位置変更処理を実行する記録位置変更手段を備えているＤＶＤ録画装置とすることを特徴とするものである。
【０００８】
第２の技術手段は、前記第１の技術手段に記載のＤＶＤ録画装置において、前記記録位置変更手段による前記記録位置変更処理が、記録されているデータの途中部分にあるタイトルを消去タイトルとして消去した場合、該消去タイトルに後続する物理的な位置に配置されている後続タイトルのデータの記録位置を、前記消去タイトルに先立つ物理的な位置に記録されているタイトルのデータの最後に連続させて記録し直すように、前記消去タイトルの記録領域の先頭位置にまで移動させて、前記後続タイトルのデータを書き換えデータとして書き換えることにより、前記ＤＶＤディスクの外周側に追記可能な追記可能領域を拡大させて、該ＤＶＤディスクの追記可能時間を増加させるＤＶＤ録画装置とすることを特徴とするものである。
【０００９】
而して、前記第１又は第２の技術手段によれば、物理的に連続記録を必要とするビデオモードを用いて複数のタイトルを記録したＤＶＤディスクの途中のタイトルを消去した場合であっても、消去した該タイトルの記録領域を詰めるようにして、後続して記録されているタイトルのデータを移動して記録し直す記録位置変更処理を行なうことにより、ＤＶＤディスクの外周側に追記可能な領域を拡大して確保して、追記可能時間を増加させることが可能となり、ＤＶＤディスクの有効活用により、編集性能を向上させ、保存時のライブラリ整理に非常に有用となる。
【００１０】
第３の技術手段は、前記第１又は第２の技術手段に記載のＤＶＤ録画装置において、前記記録位置変更手段による前記記録位置変更処理に必要とされる所要時間を算出する所要時間算出手段を備えているＤＶＤ録画装置とすることを特徴とするものである。
【００１１】
第４の技術手段は、前記第３の技術手段に記載のＤＶＤ録画装置において、前記所要時間算出手段が、前記消去タイトルの消去データ量、前記後続タイトルの前記書き換えデータのデータ量、当該ＤＶＤ録画装置に備えられていて、書き換え処理を行なうために前記後続タイトルの前記書き換えデータを記憶する記憶手段の記憶可能容量、前記後続タイトルの前記書き換えデータを前記ＤＶＤディスクから前記記憶手段に読み出して記憶する読出し速度、前記記録手段に記憶された前記後続タイトルの前記書き換えデータを前記ＤＶＤディスクに記録し直す書込み速度、及び、当該ＤＶＤ録画装置に備えられたピックアップヘッドのアクセス速度と、に基づいて、前記記録位置変更処理に必要とされる前記所要時間を算出するＤＶＤ記録装置とすることを特徴とするものである。
【００１２】
而して、前記第３又は第４の技術手段によれば、一般的に長時間を要する記録位置変更処理に必要とされる所要時間を予め自動的に算出することができ、記録位置変更処理と当該ＤＶＤ録画装置の他の処理（例えば、録画処理）との間で使用が重なる不測事態の発生を防止することができる。
【００１３】
第５の技術手段は、前記第３又は第４の技術手段に記載のＤＶＤ録画装置において、前記所要時間算出手段により算出された前記所要時間を表示する所要時間表示手段を備えているＤＶＤ録画装置とすることを特徴とするものである。
【００１４】
而して、前記第５の技術手段によれば、記録位置変更処理に必要とする所要時間を算出して予め表示することにより、ユーザが当該ＤＶＤ録画装置を用いて録画をしたい事態が発生した際にも、前記記録位置変更処理の開始に先立って録画したり、逆に、終了するまで録画を待ち合わせることとし、前記記録位置変更処理が実行中の状態にあるために録画用として使用することができないという不具合の発生を防止することが可能となる。
【００１５】
第６の技術手段は、前記第１乃至第５の技術手段のいずれかに記載のＤＶＤ録画装置において、前記記録位置変更処理を実行する前記記録位置変更手段が起動される開始時刻を、ユーザが予めタイマに設定登録することができるタイマ設定手段を備えているＤＶＤ録画装置とすることを特徴とするものである。
【００１６】
而して、前記第６の技術手段によれば、前記記録位置変更処理の処理実行開始時刻をユーザがタイマに設定登録して指定することにより、ユーザが使用しない任意の時間帯に、一般的に比較的長時間必要とする前記記録位置変更処理を実行させることが可能であり、ユーザの操作性を大きく改善することが可能となる。
【００１７】
第７の技術手段は、前記第１乃至第６の技術手段のいずれかに記載のＤＶＤ録画装置において、前記記録位置変更手段の前記記録位置変更処理に必要とされる所要時間とタイマ録画予約された録画予約時間帯とを照合し、該録画予約時間帯と重ならない時間帯に前記記録位置変更手段による前記記録位置変更処理が実行されるように、前記記録位置変更手段が起動される開始時刻を、自動的に探索してタイマに設定登録することができるタイマ自動設定手段を備えているＤＶＤ録画装置とすることを特徴とするものである。
【００１８】
而して、前記第７の技術手段によれば、前記記録位置変更処理が録画予約時間帯と重ならない時間帯に実行されるように、前記記録位置変更処理の処理実行開始時刻を自動的に探索してタイマに設定登録することが可能であり、ユーザはタイマ設定の煩雑さから開放されて、前記記録位置変更処理の実行時間帯を特に意識しなくてもＤＶＤディスクの追記可能領域を自動的に拡大した状態に設定することができ、常にＤＶＤディスクを有効且つ保存性に優れた形に保って活用することが可能となる。
【００１９】
第８の技術手段は、前記第１乃至第７の技術手段のいずれかに記載のＤＶＤ録画装置において、前記ＤＶＤディスクが、ＤＶＤ−ＲＷ（ＤＶＤ−Ｒｅｗｒｉｔａｂｌｅ）ディスク又はＤＶＤ＋ＲＷ（ＤＶＤ＋Ｒｅｗｒｉｔａｂｌｅ）ディスクであるＤＶＤ録画装置とすることを特徴とするものである。
【００２０】
而して、前記第８の技術手段によれば、ＤＶＤ−ＶＩＤＥＯ規格との互換性を有しているビデオモードにより記録することができる書き換え可能なＤＶＤディスクとして広く使用されているＤＶＤ−ＲＷディスクやＤＶＤ＋ＲＷディスクを有効に活用することが可能である。
【００２１】
【発明の実施の形態】
以下に、本発明に係るＤＶＤ録画装置の実施形態について、ＤＶＤディスクとして、ＤＶＤプレーヤでも再生可能なビデオモードによって録画を行なうことができる書き換え可能なＤＶＤ−ＲＷ（Ｄｉｇｉｔａｌ  Ｖｅｒｓａｔｉｌｅ    Ｄｉｓｋ    −  Ｒｅｗｒｉｔａｂｌｅ）ディスクを使用している場合を例にとって、図面を参照しながら説明する。なお、本発明は、ＤＶＤディスクとして、ＤＶＤ−ＲＷディスクのみならず、ビデオモードによる録画が可能なＤＶＤ＋ＲＷ（ＤＶＤ＋Ｒｅｗｒｉｔａｂｌｅ）ディスクやＤＶＤマルチ（ＤＶＤ  ＭＵＬＴＩ）ディスクであっても良い。
図１は、本発明に係るＤＶＤ録画装置が対象とするＤＶＤディスクにおいて、トラック上に記録される記録タイトルのデータに関する物理的な配置の一例を説明するための模式図である。
【００２２】
ここに、図１（Ａ）は、ＤＶＤディスクの内周トラック側から外周トラックに向かって連続的に記録タイトルＡ  １１、記録タイトルＢ  １２、記録タイトルＣ  １３の３個のタイトルのデータがビデオモードにより順次記録されて、ＤＶＤディスク外周側の残りのトラックに追記可能な未記録領域即ち追記可能領域１４が存在している様子を示している。ここで、図１（Ｂ）に示すように、図１（Ａ）に示した記録済みデータの途中に位置している記録タイトルＢ  １２のデータの消去を指示した場合、ファイル管理情報は記録タイトルＢ  １２を再生することができない状態に変更されるが、従来の技術において説明したように、消去対象とされた消去タイトルＢ  １２′のデータは残ったままとなる。
【００２３】
即ち、ビデオモードとしてＤＶＤプレーヤで再生可能とするためには、ＤＶＤ−ＶＩＤＥＯ規格との互換性を確保するためのフォーマット上の制約により、前述のごとく、記録データが記録されるＤＶＤディスクの物理的な位置は、隣接して連続的に配置されていることが必要であり、たとえ、記録タイトルＢ  １２を消去しても、消去後の消去タイトルＢ  １２′の消去領域に新たなタイトルを追記することができず、かつ、ＤＶＤディスク外周側のトラックに位置して、連続的に配置可能な条件に適合して追記可能とされている追記可能領域１４（即ち、未記録領域）は増加せず、当該ＤＶＤディスクの追記可能時間を増加させることはできない。
【００２４】
何故ならば、消去後の消去タイトルＢ  １２′の消去領域に追記しようとした場合、追記するデータが該消去領域に完全に収まり切るとの保証はなく、収まり切らない場合には、収まり切らなかった残りのデータを、ディスク外周側のトラックに離れて位置している追記可能領域１４に記録する以外に方法が無い。しかし、かくのごとく離れた位置に分割して記録した場合、ＤＶＤディスク上に連続して再生されるデータが一定の物理的な範囲内、即ち、ＤＶＤディスク上の物理的な位置として隣接して連続的に配置されていなければならないというＤＶＤ−ＶＩＤＥＯ規格のフォーマットから外れてしまうことになる。
【００２５】
逆に、たとえ、追記するデータが該消去領域に完全に収まり切ったとしても、データの追記によりファイル管理情報を更新して記録し直す必要があり、更新したファイル管理情報のデータが、元の記録タイトルＢ  １２に関するファイル管理情報のサイズ内に収まる保証も無いため、結果として消去した消去タイトルＢ
１２′の領域は追記に使用することができない。
本発明に係るＤＶＤ録画装置は、記録されたデータの途中のタイトルに関するデータを削除した場合、図１（Ｃ）に示すように、消去した消去タイトルＢ  １２′の消去領域をそのままにせずに、後続して記録されているタイトルＣ  １３のＤＶＤディスク上の物理的な記録位置を変更して、該消去領域の先頭から以降に逐次記録し直すことにより、該消去領域を有効に活用して、ＤＶＤディスクの外周側に連続している追記可能な未記録領域即ち追記可能領域１４を増加させた拡大未記録領域即ち拡大追記可能領域１４′として確保することを可能としている。
【００２６】
次に、図１（Ａ）乃至（Ｃ）に示したように、記録されている途中のデータを消去した場合に、後続する記録タイトルのデータの物理的な記録位置を変更することが可能な本発明に係るＤＶＤ録画装置の構成の一例を、図２のブロック構成図を用いて説明する。図２に示すＤＶＤ録画装置１０において、１はデータの書き換えが可能な記録媒体であるＤＶＤディスク、２はＤＶＤディスク１との間でタイトルデータの書込み再生を行なうＰＵＨ（Ｐｉｃｋ  Ｕｐ  Ｈｅａｄ）、３はＰＵＨ２により再生されたＲＦ（Ｒａｄｉｏ    Ｆｒｅｑｕｅｎｃｙ）信号を増幅するＲＦアンプ、４は増幅した再生ＲＦ信号を内部処理可能な信号形式のデータに変換したり、ＰＵＨ２を介してＤＶＤディスク１に書き込むＲＦ信号形式に変換する信号処理を行なう信号処理回路、５は信号処理回路４からの再生データあるいはＤＶＤディスク１に書き込む書込みデータを記憶する一時記憶装置、６はＤＶＤ録画装置１０の各回路部を制御する制御装置である。
【００２７】
また、図２に示すＤＶＤ録画装置１０において、７は当該ＤＶＤ録画装置１０に対するユーザからの指示（例えば、録画するタイトルの指示や消去するタイトルの指示や、記録タイトルの記録位置を変更させる記録位置変更部６ａを起動する開始時刻をタイマ９に設定する指示など）を入力するための入力装置であり、８は当該ＤＶＤ録画装置１０からの各種情報（例えば、記録位置変更部６ａの記録位置変更処理に必要とされる所要時間など）をユーザへ表示するための表示装置であり、９は各種動作を起動する時刻（例えば、録画予約時間帯や記録位置変更処理を起動するための開始時刻など）を設定するためのタイマである。
【００２８】
また、制御装置６には、ＤＶＤディスク１上に記録されている記録タイトルの記録位置を変更して、追記可能領域１４を拡大する処理、即ち、追記可能時間を増加させる記録位置変更処理を実行する記録位置変更部６ａが備えられており、更に、該記録位置変更部６ａには、前記記録位置変更処理に必要とされる所要時間を算出する所要時間算出部６ａ１が備えられている。
【００２９】
また、制御装置６には、所要時間算出部６ａ１により算出された前記所要時間を表示装置８に表示する所要時間表示部６ｂが備えられている。更に、記録位置変更部６ａが起動される開始時刻をユーザが予めタイマ９に設定することができるタイマ設定部６ｃが備えられており、更には、記録位置変更部６ａが前記記録位置変更処理に必要とされる所要時間とタイマ録画予約された録画予約時間帯とを照合し、該録画予約時間帯と重ならない時間帯に記録位置変更部６ａによる前記記録位置変更処理が実行されるように、記録位置変更部６ａの開始時刻を自動的に探索してタイマ９に設定するタイマ自動設定部６ｃ１も備えられている。
【００３０】
次に、図１に示したＤＶＤディスク１上の記録タイトルを例にして、ＤＶＤディスク１上に記録されている記録タイトルの記録位置を変更して、追記可能領域１４を拡大する処理を実行する記録位置変更部６ａの動作の詳細について説明する
まず、制御装置６の記録位置変更部６ａの制御に基づいて、ＤＶＤディスク１上において消去された消去タイトルＢ  １２′に後続する物理的な位置に記録されているデータ即ち記録タイトルＣ  １３がＰＵＨ２により逐次読み出されて、ＲＦアンプ３において波形等価などが行なわれた後、更に、信号処理回路４において復調、ＥＣＣデコード、デスクランブル等の信号処理を行なうことにより内部処理可能な形式に変換されて、メインデータが抽出されて、一時記憶装置５に記憶される。
【００３１】
しかる後、制御装置６の記録位置変更部６ａの制御に基づいて、ＤＶＤディスク１の消去された消去タイトルＢ  １２′の位置に上書きして書き換えるために、一時記憶装置５に記憶されたメインデータ（即ち、タイトルＣ  １３に関するメインデータ）は、信号処理回路４において、消去タイトルＢ  １２′の消去領域の先頭アドレスを新しく記録する物理的な場所を示す先頭アドレスとして決定すると共に、記録タイトルＣ  １３に関する各種管理情報を有するファイル管理情報を付加して、スクランブル、ＥＣＣエンコード、ライトストラテジ生成、及び、記録ＲＦ信号への変調処理を施した後、ＰＵＨ２に送られて、ＤＶＤディスク１上に逐次記録されていく。即ち、記録タイトルＣ  １３のメインデータは、図１（Ｃ）に示すように、消去タイトルＢ  １２′が記録されていなかった場合の記録状態と全く同様に、ＤＶＤディスク１上の消去タイトルＢ  １２′の消去領域に先立つ物理的な位置に記録されている記録タイトルＡ  １１の最後のデータに隣接した先頭アドレスから移動記録タイトルＣ  １３′として逐次記録し直されていく。
【００３２】
かくのごとき記録位置変更処理が、一時記憶装置５の記憶可能容量により一度に行なうことができない場合（即ち、一時記憶装置５の記憶可能容量として、消去タイトルＢ  １２′に後続する物理的な位置に記録されている記録タイトルＣ１３のデータ全てを格納するために必要とする記憶容量が不足していた場合）、複数回に分割されて記録位置変更処理が行なわれる。例えば、一時記憶装置５としてＨＤＤ（ハードディスクドライブ）等の大容量の記憶装置を用いる場合であれば、一度に記録位置変更処理を行なうことが可能であるが、半導体メモリ等のような一般的に小容量の記憶装置の場合には、複数回に分けた記録位置変更処理が必要となる。
【００３３】
以上のような記録位置変更処理を行なうことにより、以前に記録タイトルＢ  １２のデータが記録されていたＤＶＤディスク１の物理的な位置（即ち、前記消去領域）に、後続して記録されていた記録タイトルＣ  １３以降のデータが記録し直されると共に、付随するファイル管理情報等も更新されて記録し直されることにより、前記消去領域の大きさに相当する領域分が追記可能な領域としてＤＶＤディスク１の外周側のトラックに開放される状態となり、該消去領域の大きさに相当する領域分だけ拡大した未記録領域即ち拡大追記可能領域１４′を確保することが可能となる。即ち、記録タイトルＢ  １２と記録タイトルＣ  １３とが占めていた記録領域の大きさが同じであった場合には、以上の記録位置変更処理が行なわれた結果、記録タイトルＣ  １３が、元の記録タイトルＢ  １２の記録領域に移動した移動記録タイトルＣ  １３′として上書き記録され、追記可能な未記録領域１４は、元の記録タイトルＣ  １３が記録されていた領域まで拡大されて拡大追記可能領域１４′として確保されることになる。
【００３４】
なお、以上の説明においては、消去対象の消去タイトルＢ  １２′に後続して記録されていた記録タイトルが、記録タイトルＣ  １３の１個のみの場合について示したが、本発明は、かかる場合のみに限定されるものではなく、消去タイトルＢ  １２′に複数の記録タイトルが後続して記録されている場合であっても、記録位置変更部６ａにより、後続する全ての記録タイトルについて記録位置を変更するための書き換え処理が行なわれることとなる。
【００３５】
以上のごとく、物理的に連続記録を必要とするビデオモードを用いて複数のタイトルを記録したＤＶＤディスク１の途中のタイトルを消去した場合であっても、消去した該タイトルの記録領域を詰めるようにして、後続して記録されているタイトルのデータを移動して記録し直す記録位置変更処理を行なうことにより、ＤＶＤディスク１の外周側に追記可能な領域を拡大して確保して、追記可能時間を増加させることが可能となり、ＤＶＤディスク１の有効活用を図り、記録タイトルの編集性能を向上させ、保存時のライブラリ整理に非常に有用となる。
【００３６】
かかる記録位置変更処理は、消去されたタイトル以降に後続して記録されている移動処理対象のデータ容量（図１の場合には、タイトルＣ  １３のデータ容量）にも依存するが、一般的には長時間必要となる。
そのため、記録位置変更処理は、操作性を考慮して、当該ＤＶＤ録画装置１０を使用する予定の無い時間帯に行なうことが必要である。
【００３７】
ここで、記録位置変更部６ａに備えられている所要時間算出部６ａ１が算出する所要時間即ち記録位置変更処理に必要とされる所要時間の計算方法について、その一例を図３に示す模式図に従って、図１に示した記録位置変更処理の場合を例にとって説明する。
図３において、ＤＶＤディスク１上の途中に位置している記録タイトルＢ  １２の消去がユーザにより入力装置７から指示された際に、ＤＶＤディスク１上に記録されている各記録タイトルに関するファイル管理情報を読み取ることにより、消去対象の消去タイトルＢ  １２′に関する消去データ容量ｂを抽出すると共に（処理Ｐ１）、消去対象の消去タイトルＢ  １２′に後続する物理的な位置に記録されていて記録位置変更のための書き換え対象となる記録タイトルＣ  １３に関する書き換えデータ容量ｃを抽出する（処理Ｐ２）。
【００３８】
次いで、当該ＤＶＤ録画装置１０に備えられている一時記憶装置５の記憶可能容量ｖを取り出して（処理Ｐ３）、抽出された前記書き換えデータ容量ｃを該記憶可能容量ｖで除算することにより、記録位置変更処理として書き換えのために、一時記憶装置５への記憶及び読み出し回数即ちＤＶＤディスク１の再生及び記録動作回数を示すアクセス回数ａｃを計算する（処理Ｐ７）。
また、ＤＶＤ録画装置１０のＰＵＨ２によるＤＶＤディスク１からの読出し速度ｓｒ（読出しビットレート）を取り出して（処理Ｐ４）、抽出された前記書き換えデータ容量ｃを該読出し速度ｓｒで除算することにより、書き換え対象の記録タイトルＣ  １３のデータを読み出すために必要な読出し時間ｔｒを計算する（処理Ｐ８）。
同様に、ＤＶＤ録画装置１０のＰＵＨ２によるＤＶＤディスク１への書込み速度ｓｗ（書込みビットレート）を取り出して（処理Ｐ５）、抽出された前記書き換えデータ容量ｃを該書込み速度ｓｗで除算することにより、書き換え対象の記録タイトルＣ  １３のデータを書き込むために必要な書込み時間ｔｗも計算する（処理Ｐ９）。
【００３９】
更に、消去トラックＢ  １２′のデータを記録タイトルＣ  １３のデータにより書き換えるためのアクセスタイムａｔを求めるために、処理Ｐ１で抽出された消去データ容量ｂを用いて記録されていたトラック数を算出すると共に、ＤＶＤ録画装置１０のＰＵＨ２のトラック当たりの移動時間即ちアクセス速度ｓａを取り出して、書き換え対象の記録タイトルＣ  １３から消去タイトルＢ  １２′の位置へのＰＵＨ２のアクセスタイムａｔを計算する（処理Ｐ６）。ここで、ＤＶＤ録画装置１０のＰＵＨ２のトラック当たりの移動時間アクセス速度ｓａとしては、予めトラック位置に対応して固有に登録されているトラック当たりのアクセスタイムを参照することとしても良いし、あるいは、かかるアクセス速度ｓａを用いる代わりに、書き換え用のアクセスタイムａｔとして、記録タイトルＣ  １３と消去タイトルＢ  １２′との間の距離を移動させたアクセスを実際に行なうことにより実測されたアクセスタイムを直接用いることとしても良い。
【００４０】
以上により計算されたＰＵＨ２のアクセスタイムａｔ（処理Ｐ６）、ＤＶＤディスク１へのアクセス回数ａｃ（処理Ｐ７）、読出し時間ｔｒ（処理Ｐ８）、及び、書込み時間ｔｗ（処理Ｐ９）を用いて、記録タイトルＣ  １３を消去タイトルＢ  １２′に記録し直す記録位置変更処理に要する所要時間が計算される（処理Ｐ１０）。
即ち、記録位置変更処理全体について、ＤＶＤディスク１に対するアクセスに必要とする全アクセス時間は処理Ｐ６により計算されたアクセスタイムａｔと処理Ｐ７により計算されたアクセス回数ａｃとを掛け合わせることにより得られるので、得られた全アクセス時間に対して処理Ｐ８で計算された読出し時間ｔｒと、処理Ｐ９で計算された書込み時間ｔｗとを加えることにより記録位置変更処理全体に必要とする所要時間が計算される。
【００４１】
所要時間算出部６ａ１により算出された記録位置変更処理全体の所要時間は、所要時間表示部６ｂを用いて、当該ＤＶＤ録画装置１０本体に備えられている表示装置８あるいはＤＶＤタイトルを表示する映像表示画面そのものに表示するようにして、ユーザに通知することができる。
而して、記録位置変更処理に必要とする所要時間を予め表示してユーザに通知することにより、ユーザが当該ＤＶＤ録画装置１０を用いて録画をしたい事態が発生した際にも、前記記録位置変更処理が実行中の状態にあるために録画用として使用することができないという不具合の発生を防止することが可能となる。
【００４２】
更に、追記可能領域の拡大を希望するＤＶＤディスク１を当該ＤＶＤ録画装置１０に装着して、記録タイトルＢ  １２の消去に伴う記録位置変更処理全体の所要時間が、表示装置８あるいは映像表示画面そのものに表示されて通知されることにより、ユーザは、当該ＤＶＤ録画装置１０を使用する予定が無い時間帯に該記録位置変更処理を行なうことを予約設定するように、タイマ設定部６ｃを用いて、該ＤＶＤディスク１に関する記録位置変更処理を実行する記録位置変更部６ａが起動される開始時刻を、入力装置７を介してタイマ９に予め設定登録することが可能であり、操作性の改善を図ることができる。
【００４３】
更に、ユーザの操作性を改善するために、ユーザが介在することなく、記録位置変更部６ａが起動される開始時刻を当該ＤＶＤ録画装置１０が使用される予定が無い時間帯に自動的に設定する一例を、図４に示す処理フローチャートを用いて説明する。即ち、図４に示す処理フローチャートは、記録位置変更部６ａによる記録位置変更処理に必要とされる所要時間とタイマ録画予約された録画予約時間帯とを照合し、該録画予約時間帯と重ならない時間帯に記録位置変更部６ａによる記録位置変更処理が実行されるように、記録位置変更部６ａが起動される開始時刻を自動的に探索してタイマ９に設定するタイマ自動設定部６ｃ１の動作の一例を示している。
【００４４】
まず、当該ＤＶＤ録画装置１０に装着されたＤＶＤディスク１が、途中の位置に記録されている記録タイトルに関する消去処理を行ない、記録位置変更処理を必要としているＤＶＤディスクであるか否かが判定される（ステップＳ１）。記録位置変更処理を必要としない場合は（ステップＳ１のＮＯ）、処理を直ちに終了するが、記録位置変更処理を必要とするＤＶＤディスクであった場合は（ステップＳ１のＹＥＳ）、当該ＤＶＤ録画装置１０が動作する時間帯が既にタイマ９に予約されているか、即ち、予めタイマ録画予約されている録画予約時間帯が既に登録されているか否かを確認する（ステップＳ２）。
【００４５】
予めタイマ録画予約されている録画予約時間帯が登録されていた場合（ステップＳ２のＹＥＳ）、図３において説明したような手順に基づいて、記録位置変更処理に要する所要時間を計算する（ステップＳ３）。如何なる時刻から記録位置変更処理を開始しても計算された前記所要時間と、タイマ録画予約されている録画予約時間帯とが重なってしまうか否かを確認し（ステップＳ４）、如何なる開始時刻を選択しても重なってしまう場合は（ステップＳ４のＹＥＳ）、今回の記録位置変更処理はあきらめて、タイマの自動を行なわずに処理を終了する。一方、録画予約時間帯と重なりがない時間帯を設定することができる開始時刻が存在していることが探索された場合には（ステップＳ４のＮＯ）、探索された該開始時刻を、記録位置変更処理を起動するための処理開始時刻としてタイマ９に自動的に設定する（ステップＳ５）。
【００４６】
また、ステップＳ２において、予めタイマ録画予約が登録されていなかった場合は（ステップＳ２のＮＯ）、当該ＤＶＤ録画装置１０が今後使用される可能性が少ない夜間等の時間帯に記録位置変更処理を実行させるように、記録位置変更処理を起動するための開始時刻を探索して処理開始時刻としてタイマ９に自動的に設定登録する（ステップＳ５）。而して、処理開始時刻としてタイマ９に自動的に設定登録されることにより、例えば夜間等の時間帯で且つ記録位置変更処理に必要な所要時間と予めタイマ録画予約された録画予約時間帯とが重ならない時間帯（即ち、当該ＤＶＤ録画装置１０が使用されていない時間帯）に、自動的に、ＤＶＤディスク１上の記録位置変更処理が実行されて、ＤＶＤディスク１の追記可能領域を自動的に拡大することが可能である。もって、ユーザはＤＶＤディスク１の記録位置変更処理を行なわせようとする都度、入力装置７を介して、処理開始時刻をタイマ９に一々設定登録するような操作を行なう必要がなく、操作性を更に改善することができる。即ち、ユーザが、記録位置変更処理の実行時間帯を特に意識しなくてもＤＶＤディスクの追記可能領域を自動的に拡大した状態に設定することができ、常にＤＶＤディスクを有効且つ保存性に優れた形として保持することが可能となる。
【００４７】
【発明の効果】
以上に説明したごとく、本発明に係るＤＶＤ録画装置によれば、以下のごとき効果を奏することができる。
即ち、物理的に連続記録を必要とするビデオモードを用いて複数のタイトルを記録したＤＶＤディスクの途中のタイトルを消去した場合であっても、消去した該タイトルの記録領域を詰めるようにして、後続して記録されているタイトルのデータを移動して記録し直す記録位置変更処理を行なうことにより、ＤＶＤディスクの外周側に追記可能な領域を拡大して確保して、追記可能時間を増加させることが可能となり、ＤＶＤディスクの有効活用により、記録タイトルの編集性能を向上させ、保存時のライブラリ整理に非常に有用となる。
【００４８】
更に、前記記録位置変更処理に必要とする所要時間を算出して予め表示することにより、ユーザが当該ＤＶＤ録画装置を用いて録画をしたい事態が発生した際にも、前記記録位置変更処理に先立って録画したり、逆に、実行が終了するまで録画を待ち合わせて、前記記録位置変更処理が実行中の状態にあるために録画用として使用することができないという不具合の発生を防止することが可能となる。
前記記録位置変更処理を起動する開始時刻をユーザがタイマに設定登録して指定することにより、ユーザが使用しない任意の時間帯に前記記録位置変更処理を実行させることを可能とし、ユーザの操作性を大きく改善することが可能となる。
【００４９】
前記記録位置変更処理に必要とする所要時間とタイマ録画予約された録画予約時間帯とを照合し、該録画予約時間帯と重ならない時間帯に前記記録位置変更処理処理が実行されるように、開始時刻を自動的に探索してタイマに設定登録することも可能であり、ユーザは前記記録位置変更処理の実行時間帯を特に意識しなくてもＤＶＤディスクの追記可能領域を自動的に拡大した状態に設定することができ、常にＤＶＤディスクを有効且つ保存性に優れた形でユーザが活用することが可能となる。
【図面の簡単な説明】
【図１】本発明に係るＤＶＤ録画装置が対象とするＤＶＤディスクにおいて、トラック上に記録される記録タイトルのデータに関する物理的な配置の一例を説明するための模式図である。
【図２】本発明に係るＤＶＤ録画装置の構成の一例を示すブロック構成図である。
【図３】記録位置変更処理に必要とされる所要時間の計算方法について、その一例を説明する模式図である。
【図４】記録位置変更処理の開始時刻を当該ＤＶＤ録画装置が使用される予定が無い時間帯に自動的に設定する一例を説明する処理フローチャートである。
【符号の説明】
１…ＤＶＤディスク、２…ＰＵＨ（ピックアップヘッド）、３…ＲＦアンプ、
４…信号処理回路、５…一時記憶装置、６…制御装置、６ａ…記録位置変更部、６ａ１…所要時間算出部、６ｂ…所要時間表示部、６ｃ…タイマ設定部、６ｃ１…タイマ自動設定部、７…入力装置、８…表示装置、９…タイマ、１０…ＤＶＤ録画装置、１１…記録タイトルＡ、１２…記録タイトルＢ、１２′…消去タイトルＢ、１３…記録タイトルＣ、１３′…移動記録タイトルＣ、１４…追記可能領域（未記録領域）、１４′…拡大追記可能領域（拡大未記録領域）。
【図１】
2004220646.tif 000003
【図２】
2004220646.tif 000004
【図３】
2004220646.tif 000005
【図４】
2004220646.tif 000006